(57)【要約】【課題】ステータを冷却することができるブラシレスモータを提供する。【解決手段】ブラシレスモータ１は、モータハウジング（２，３）と、略円環形状に形成されモータハウジング（２，３）内に取り付けられたステータ６と、ステータ６の内側に回転自在に配置されたロータ１０とを備えている。ロータ１０は、略円盤形状に形成されたロータ本体１１とロータ本体１１の外周面に取り付けられたマグネット１２とを有し、ロータ本体１１には、ロータ１０の回転によりステータ６に送風する送風手段１１ｂ１が設けられていることを特徴とする。【選択図】図２
2013048500.tif 000002
【特許請求の範囲】
【請求項１】
モータハウジングと、略円環形状に形成され前記モータハウジング内に取り付けられたステータと、略円盤形状に形成されたロータ本体と前記ロータ本体の外周面に取り付けられたマグネットとを有し、前記ステータの内側に回転自在に配置されたロータと、を備えるブラシレスモータにおいて、
前記ロータ本体には、前記ロータの回転により前記ステータに送風する送風手段が設けられていることを特徴とするブラシレスモータ。
【請求項２】
請求項１に記載されたブラシレスモータにおいて、
前記ロータ本体は、前記モータハウジングに軸受を介して支持される円環形状の基部材と、前記基部材の外側に配置されるとともに外周面に前記マグネットが取り付けられる円環形状の円環部材と、前記基部材と前記円環部材とを連係する連係部材とを備え、
前記連係部材に前記送風手段が形成されていることを特徴とするブラシレスモータ。
【請求項３】
請求項２に記載されたブラシレスモータにおいて、
前記連係部材は、前記基部材から前記円環部材に向けて略放射状に形成された複数の連結棒より構成され、
前記連結棒は、前記円環部材の一方の端面よりも軸方向上側に張り出した棒状の送風部を備えていることを特徴とするブラシレスモータ。
【請求項４】
請求項３に記載されたブラシレスモータにおいて、
前記モータハウジングには、前記ハウジング内に空気を吸入する第１挿通孔が前記ステータよりも径方向内側に形成されているとともに、前記ハウジング外に空気を排出する第２挿通孔が前記ステータよりも径方向外側に形成されていることを特徴とするブラシレスモータ。
【発明の詳細な説明】
【技術分野】
【０００１】
この発明は、ブラシレスモータに関し、特に、ステータを冷却することができるブラシレスモータに関する。
【背景技術】
【０００２】
一般に、ブラシレスモータは、モータハウジングと、略円環形状に形成されモータハウジング内に取り付けられたステータと、ステータの内側に回転自在に配置されたロータとを備える。ステータは、薄板の鋼板が積層され形成されたステータコアと、ステータコアに巻装されたステータコイルとを備える。また、ロータは、略円盤形状の形成されたロータ本体と、ロータ本体の外周面に取り付けられたマグネットとを備える（例えば、特許文献１参照）。
【先行技術文献】
【特許文献】
【０００３】
【特許文献１】特開２００９−９５１３７号公報
【発明の概要】
【発明が解決しようとする課題】
【０００４】
しかしながら、上述の従来技術にあっては、モータの作動時においてステータが高温になるという課題がある。
【０００５】
そこで、この発明は、上述した事情に鑑みてなされたものであって、ステータを冷却することができるブラシレスモータを提供するものである。
【課題を解決するための手段】
【０００６】
上記の課題を解決するために、請求項１に記載されたブラシレスモータは、モータハウジングと、略円環形状に形成されモータハウジング内に取り付けられたステータと、略円盤形状に形成されたロータ本体とロータ本体の外周面に取り付けられたマグネットとを有し、ステータの内側に回転自在に配置されたロータと、を備えるブラシレスモータにおいて、ロータ本体には、ロータの回転によりステータに送風する送風手段が設けられていることを特徴とする。そして、このように構成することで、モータを作動させロータが回転したときに、ロータ本体に設けられた送風手段によりステータに送風することができ、この送風によりステータを冷却することができる。
【０００７】
また、請求項２に記載されたブラシレスモータは、請求項１に記載されたブラシレスモータにおいて、ロータ本体は、モータハウジングに軸受を介して支持される円環形状の基部材と、基部材の外側に配置されるとともに外周面に前記マグネットが取り付けられる円環形状の円環部材と、基部材と円環部材とを連係する連係部材とを備え、連係部材に送風手段が形成されていることを特徴とする。そして、このように構成することで、モータを作動させロータが回転したときに、ロータ本体の連係部材に形成された送風手段によりステータの送風することができ、その送風によりステータを冷却することができる。
【０００８】
また、請求項３に記載されたブラシレスモータは、請求項２に記載されたブラシレスモータにおいて、連係部材は、基部材から円環部材に向けて略放射状に形成された複数の連結棒より構成され、連結棒は、円環部材の一方の端面よりも軸方向上側に張り出した棒状の送風部を備えていることを特徴とする。
【０００９】
そして、このように連係部材を基部材から円環部材に向けて略放射状に延出して形成された複数の連結棒により構成されることにより、連係部材の軽量化を図ることできる。また、連結棒は、円環部材の一端の端面よりも軸方向上側に張り出した棒状の送風部を備えており、モータを作動させロータが回転したときに、ロータの円環部材に風が遮られることなく、送風部により形成された風をステータに吹き付ける（送風）ことができ、その送風によりステータを冷却することができる。
【００１０】
また、請求項４に記載されたブラシレスモータは、請求項３に記載されたブラシレスモータにおいて、モータハウジングには、ハウジング内に空気を吸入する第１挿通孔がステータよりも径方向内側に形成されているとともに、ハウジング外に空気を排出する第２挿通孔がステータよりも径方向外側に形成されていることを特徴とする。
【００１１】
請求項４に記載されたブラシレスモータにおいて、ステータが内部に取り付けられているモータハウジングには、ハウジング内に空気を吸入する第１挿通孔が形成されるとともに、ハウジング外に空気を排出する第２挿通孔が形成されている。そして、第１挿通孔はステータよりも径方向内側に形成され、第２挿通孔は径方向外側に形成されている。
【００１２】
そのため、モータが作動し、送風部（送風手段）によりステータに向けた空気の流れが形成されるとき、モータ内よりも低温の外気が第１挿通孔からモータ内に流入されるとともに、流入した空気が送風部（送風手段）によりステータに吹き付けられ、ステータを冷却するとともに、ステータに吹き付けられ温度の上昇した空気は第２挿通孔からモータ外に排出される。このように、外気をモータ内に吸入するとともにステータを冷却した後の空気をモータ外に排出することにより、ステータをより効果的に冷却することができる。
【発明の効果】
【００１３】
本発明のブラシレスモータは、モータを作動させロータが回転したときに、ロータ本体に設けられた送風手段によりステータに送風することができる。このため、本発明のブラシレスモータは、この送風によりステータを冷却することができる。
【図面の簡単な説明】
【００１４】
【図１】本発明の実施形態におけるブラシレスモータの斜視図である。
【図２】図１において、断面Ａ−Ａにて示すブラシレスモータの断面図である。
【図３】本発明の実施形態のブラシレスモータに備えられたロータの斜視図である。
【図４】本発明の実施形態のブラシレスモータにおいて空気の流れを説明する図である。
【発明を実施するための形態】
【００１５】
次に、この発明の実施形態におけるブラシレスモータを図１、図２および図３に基づいて説明する。図１は、本実施形態のブラシレスモータの斜視図であり、図２は、図１にて断面Ａ−Ａにて示すブラシレスモータの断面図である。図３は、本実施形態のブラシレスモータに備えられたロータの斜視図である。
【００１６】
図１および図２に示されるように、ブラシレスモータ１は、有底円筒形状の第１モータハウジング２と、第１モータハウジング２の開口を塞ぐ円盤形状の第２モータハウジング３と、略円環形状に形成されるとともに第２モータハウジング３内に取り付けられたステータ６と、ステータ６の内側に回転自在に配置されたロータ１０と、を備えている。また、ステータ６と第１ハウジング２との間には、ステータ６に制御電流を供給する基板８が設けられている。ここで、ロータ１０は、第２モータハウジング３に取り付けらえた軸受７により回転自在に軸支されている。
【００１７】
ステータ６は、薄板の鋼板を積層して形成されたステータコア６ａと、インシュレータ６ｂを介してステータコア６ａに巻装されたステータコイル６ｃと、を備えている。
【００１８】
図３に示すように、ロータ１０は、略円盤形状に形成されたロータ本体１１と、ロータ本体１１の外周面に取り付けられた円環形状のマグネット１２と、を備えている。そして、ロータ本体１１は、第２モータハウジング３に軸受７を介して支持される円環形状の基部材１１ａと、基部材１１ａの外側に配置されるとともに外周面にマグネット１２が取り付けられている円環形状の円環部材１１ｃと、基部材１１ａと円環部材１１ｃとを連係する連係部材を構成する複数の連結棒１１ｂと、を備えている。
【００１９】
連結棒１１ｂは、棒形状にて基部材１１ａから円環部材１１ｃに向けて放射状に等ピッチに形成されている。そして、連結棒１１ｂは、基部材１１ａ側に形成されている送風手段としての棒状の送風部１１ｂ１と、送風部１１ｂ１と円環部材１１ｃとを繋ぐ棒状の連係部１１ｂ２とにより構成されている。そして、送風部１１ｂ１は、円環部材１１ｃの一方の端面１１ｃ１よりも軸方向上側に張り出して形成されているとともに、連係部１１ｂ２は、円環部材１１ｃより軸方向上側に張り出した送風部１１ｂ１と円環部材１１ｃとを繋いでいる。
【００２０】
また、図１および図２に示されるように、第１モータハウジング２の底部2ａにはステータ６よりも径方向内側にハウジング（２，３）内に空気を吸入する複数の第１挿通孔４が形成されている。また、第１モータハウジング２の側部２ｂの内周面と第２モータハウジング３の側部３ａの外摺面との間、すなわち、第１および第２モータハウジング（２，３）の勘合部には、数か所の隙間が形成されている。そして、この隙間によりステータ６の径方向外側にハウジング（２，３）外に空気を排出する第２挿通孔５が形成されている。
【００２１】
なお、本発明は上述の実施形態に限られるものではなく、本発明の趣旨を逸脱しない範囲において、上述の実施形態に種々の変更を加えたものを含む。
【００２２】
次に、本実施形態のブラシレスモータ１が有する効果について、図４に基づき説明する。
【００２３】
連結棒１１ｂは、円環部材１１ｃの一方の端面１１ｃ１よりも軸方向上側に張り出した棒状の送風部（送風手段）１１ｂ１を備えている。この送風部１１ｂ１により、モータ１が作動しロータ１０が回転したときに、ロータ１０の径方向外側に配置されたステータ６に送風することができ、この送風によりステータ６を冷却することができる。
【００２４】
さらに、上記のように送風部１１ｂ１は円環部材１１ｃの一方の端面１１ｃ１よりも軸方向上側に張り出しているため、送風部１１ｂ１により形成された風はロータ１０の円環部材１１ｃに遮られることなく、ステータ６に効果的に吹き付けることができる。
【００２５】
また、ロータ１０の基部材１１ａと円環部材１１ｃは、棒状の連結棒１１ｂにより連係されているため、ロータ１０の軽量化が図られる。
【００２６】
さらに、ステータ６が内部に取り付けられているハウジング（２，３）において、第１モータハウハウジング２には、ハウジング（２，３）内に空気を吸入する第１挿通孔４が形成されている。そして、第１および第２モータハウジング（２，３）の勘合部には、ハウジング（２，３）外に空気を排出する第２挿通孔４が形成されている。ここで、第１挿通孔４はステータ６よりも径方向内側に形成され、第２挿通孔５は径方向外側に形成されている。
【００２７】
そのため、モータ１が作動し、送風部１１ｂ１（送風手段）によりステータ６に向けた空気の流れが形成されるとき、モータ１内よりも低温の外気が第１挿通孔４からモータ１内に流入されるとともに、流入した空気が送風部（送風手段）１１ｂ１によりステータ６に吹き付けられ、ステータ６を冷却するとともに、ステータ６に吹き付けられ温度の上昇した空気は第２挿通孔５からモータ１外に排出される。このように、外気をモータ１内に吸入するとともにステータ６を冷却した後の空気をモータ１外に排出することにより、ステータ６をより効果的に冷却することができる。
【符号の説明】
【００２８】
１  ブラシレスモータ
２  第１モータハウジング（モータハウジング）
２ａ  底部
２ｂ  側部
３  第２モータハウジング（モータハウジング）
３ａ  側部
４  第１挿通孔
５  第２挿通孔
６  ステータ
７  軸受
１０  ロータ
１１  ロータ本体
１１ａ  基部材
１１ｂ  連係部材（連結棒）
１１ｂ１  送風部（送風手段）
１１ｂ２  連係部
１１ｃ  円環部材
１１ｃ１  一方の端面
１２  マグネット
【図１】
2013048500.tif 000003
【図２】
2013048500.tif 000004
【図３】
2013048500.tif 000005
【図４】
2013048500.tif 000006